(57)【要約】【課題】送信局と受信局との間の通信に際して最適運用周波数を選択し得る自動周波数選択機能を備えた無線機を提供する。【解決手段】ＢＥＲ測定器１９、等化誤差測定器２０、ＲＳＳＩ測定器２１にて運用周波数毎の符号誤り率、等化誤差、受信電界強度を測定してテーブル２２、２３、２４に記憶すると共に、伝播特性予測部２６により運用周波数毎のＣＮ比予測値を求めて予測ＣＮテーブル２７に記憶する。選択順位付加部２５は、各テーブル２２、２３、２４に記憶された符号誤り率、等化誤差、受信電界強度と、予測ＣＮテーブル２７に記憶されたＣＮ比予測値に基づいて運用周波数に順位付けを行って優先周波数テーブル２８に記憶する。判定回路２９は、計時部３０から現在の時刻を取得し、優先周波数テーブル２８から現在の時刻での優先周波数を読出し、最適運用周波数を決定する。【選択図】      図２
2010141604.tif 000002
【特許請求の範囲】
【請求項１】
無線機において、
運用周波数を選択する周波数選択部と、時刻と運用周波数毎に等化誤差、符号誤り率、受信電界強度を測定する測定部と、時刻と運用周波数毎に伝播特性を予測する伝播特性予測部と、前記測定部で測定された測定値と前記伝播特性予測部で予測された伝播特性予測値を記憶する記憶部と、前記記憶部に記憶した測定値及び伝播特性予測値に基づいて運用周波数に選択順位を付ける選択順位付加部とを具備し、
前記周波数選択部は、前記選択順位付加部により付加された運用周波数の選択順位から最適運用周波数を選択することを特徴とする無線機。
【発明の詳細な説明】
【技術分野】
【０００１】
本発明は、通信における最適周波数を自動選択する機能を備えた無線機に関する。
【背景技術】
【０００２】
従来、無線機では、通信における最適周波数を自動的に選択する自動周波数選択装置を備えている。従来の自動周波数選択装置は、季節、時刻、太陽黒点数等のパラメータを使用する伝播特性予測シミュレータ等による予測値、またはＣＮ比（Carrier to Noise ratio）の測定データを基に行っている。
【０００３】
しかし、伝播特性予測シミュレータ等による予測値を使用して最適周波数を選択する方法では、実際の電波伝播においては短期的な太陽活動の変化や局地的な混信やフェージング等の影響を受けやすく、シミュレーション予測結果との間に誤差が生じる問題があった。
【０００４】
また、ＣＮ比の測定データを基に基に最適周波数を選択する方法では、Ｃ（信号強度）とＮ（雑音強度）をそれぞれ測定する必要があり、測定時間のずれにより測定誤差が発生する問題があった。また、ＣＮ比の測定データを基に最適周波数を選択する方法では、送信局から受信局にＣＮ比測定を指示する信号を送出する必要があるため、実際の通信に使用できる時間が少なくなってスループットが低下するという問題があり、更に、ＣＮ比測定回路を実装する必要があるため、ハードウェア規模が大きくなってしまうという問題があった。
【０００５】
また、本発明に関連する公知技術として、送信局にて、送信要求を複数の周波数に変換して送信し、受信局において、受信信号の信号状態を周波数毎にチェックして、最も状態が良好な周波数を最適周波数として検出し、最適周波数における受信状態の情報を最適周波数にて送信局に回線応答し、送信局にて、回線応答に含まれる受信状態の情報に基づいて変調方式を選択し、送信データを選択された変調方式で変調し、最適周波数にて受信局に送信するようにした無線通信装置が知られている（例えば、特許文献１参照。）。
【０００６】
【特許文献１】特開２０００−２６９９３８号公報
【発明の開示】
【発明が解決しようとする課題】
【０００７】
上記したように従来の無線機における自動周波数選択装置は、伝播特性予測シミュレータによる予測値、またはＣＮ比の測定データを基に行っている。
しかし、伝播特性予測シミュレータによる予測値を使用して最適周波数を選択する方法では、伝播特性のシミュレーション結果に誤差が生じ易いので、常に最適な周波数選択を行うことは困難である。
【０００８】
また、ＣＮ比の測定データを基に最適周波数を選択する方法では、ＣＮ比測定信号を送出する必要があるので、実際の通信に使用できる時間が少なくなると共に、Ｃ（信号強度）とＮ（雑音強度）の測定時間のずれによって測定誤差が発生し、かつＣＮ比測定回路の実装によりハードウェア規模が大きくなってしまうという問題があった。
【０００９】
本発明は上記の課題を解決するためになされたもので、シミュレーション結果との誤差発生、ＣＮ比測定時の誤差発生、スループットの低下、ハードウェア規模の増大等の問題を解決し、確実に最適周波数を選択し得る自動周波数選択機能を備えた無線機を提供することを目的とする。
【課題を解決するための手段】
【００１０】
本発明に係る無線機は、運用周波数を選択する周波数選択部と、時刻と運用周波数毎に等化誤差、符号誤り率、受信電界強度を測定する測定部と、時刻と運用周波数毎に伝播特性を予測する伝播特性予測部と、前記測定部で測定された測定値と前記伝播特性予測部で予測された伝播特性予測値を記憶する記憶部と、前記記憶部に記憶した測定値及び伝播特性予測値に基づいて運用周波数に選択順位を付ける選択順位付加部とを具備し、前記周波数選択部は、前記選択順位付加部により付加された運用周波数の選択順位から最適運用周波数を選択することを特徴とする。
【発明の効果】
【００１１】
本発明によれば、運用周波数毎に測定した等化誤差、符号誤り率、受信電界強度の各測定データと、伝播特性予測部により予測したＣＮ比予測値に基づいて運用周波数を選択することにより最適な周波数を選択することが可能となり、品質の良い周波数を使用して通信を行うことができる。
【発明を実施するための最良の形態】
【００１２】
以下、図面を参照して本発明の一実施形態を説明する。
図１は、甲局を送信局１、乙局を受信局２とし、送信局１から受信局２へ通信を行う場合の例を示したものである。
上記送信局１及び受信局２は、それぞれ図２のブロック図に示すように構成され、複数の周波数例えばＦ１〜Ｆ５の運用周波数の中から最適な運用周波数を選択して通信を行う。
【００１３】
図２において、１１は送信機、１２は受信機で、それぞれアンテナ１３、１４を備えている。上記送信機１１の送信周波数及び受信機１２の受信周波数は、詳細を後述するように判定回路２９の判定結果に基づいて周波数設定器１５により設定される。また、送信機１１及び受信機１２には変復調器１６が接続され、この変復調器１６には変復調方式／通信速度設定器１７、プロトコル制御回路１８、ＢＥＲ（Bit Error Rate：符号誤り率）測定器１９、等化誤差測定器２０が接続される。
【００１４】
上記プロトコル制御回路１８には、外部装置（図示せず）から通信データが入力される。プロトコル制御回路１８は、無線通信リンクを確立するための回路で、呼び出し信号、応答信号、確認信号を生成し、変復調器１６を介して送信機１１へ出力する。上記ＢＥＲ測定器１９は、受信機１２で受信された信号のＢＥＲ（符号誤り率）を測定してＢＥＲテーブル２２に格納する。等化誤差測定器２０は、受信機１２で受信された信号の等化誤差を測定して等化誤差テーブル２３に格納する。
【００１５】
また、受信機１２には、ＲＳＳＩ（Received Signal Strength Indicator：受信電界強度）測定器２１が接続される。このＲＳＳＩ測定器２１は、受信機１２で受信された信号のＲＳＳＩ（受信電界強度）を測定し、ＲＳＳＩテーブル２４に格納する。
【００１６】
上記ＢＥＲテーブル２２、等化誤差テーブル２３、ＲＳＳＩテーブル２４に格納された各測定データは、選択順位付加部２５へ送られる。また、選択順位付加部２５には、伝播特性予測部２６により予測されたＣＮ比予測値が予測ＣＮテーブル２７を介して入力される。上記伝播特性予測部２６は、伝播特性予測計算シミュレーションソフトウェアにより伝播特性即ちＣＮ比を予測し、ＣＮ比予測値として予測ＣＮテーブル２７に格納する。
【００１７】
選択順位付加部２５は、ＢＥＲテーブル２２、等化誤差テーブル２３、ＲＳＳＩテーブル２４に格納された各測定データ、及び予測ＣＮテーブル２７に格納された周波数毎のＣＮ比予測値に基づいて優先周波数テーブル２８を生成する。
上記優先周波数テーブル２８に格納されたデータは、判定回路２９へ送られる。また、判定回路２９には、現在時刻を計時する計時部３０が接続される。判定回路２９は、計時部３０から現在の時刻を取得し、優先周波数テーブル２８から現在の時刻での優先周波数を読出し、最適運用周波数、変調方式を決定して周波数設定器１５、変復調方式／通信速度設定器１７、プロトコル制御回路１８へ出力する。
【００１８】
周波数設定器１５は、判定回路２９の判定結果に基づいて送信機１１及び受信機１２の送受信周波数を最適周波数に設定する。変復調方式／通信速度設定器１７は、判定回路２９の判定結果に基づいて変復調器１６の変調方式を設定する。
次に上記のように構成された自動周波数選択機能を備えた無線機の動作を説明する。
【００１９】
先ず、図１に示した送信局１と受信局２との間の通信手順について、図３に示す交信タイミングチャートを参照して説明する。図３（ａ）は送信局１の交信タイミングを示し、図３（ｂ）は受信局２の交信タイミングを示している。
最初に送信局１から受信局２に呼び出し信号を送信する（ステップＡ１）。
【００２０】
受信局２は、送信局１からの呼び出し信号を受信すると（ステップＢ１）、応答信号を送信する（ステップＢ２）。図３に示す呼び出し信号の送信（ステップＡ１）から呼び出し信号受信（ステップＢ１）までの区間Ｄ１は、呼び出し信号のサーチ受信区間を示している。
【００２１】
送信局１は、受信局２からの応答信号を受信すると（ステップＡ２）、確認信号を送信し（ステップＡ３）、通信回線を確立する。図３に示す呼び出し信号の送信（ステップＡ１）から確認信号送信（ステップＡ３）までの区間Ｄ２は、通信回線確立区間を示している。
【００２２】
受信局２は、送信局１からの確認信号を受信する（ステップＢ３）。
送信局１は、上記通信回線の確立を行った後、受信局２に対して通信データを送信する（ステップＡ４）。この通信データの送信（ステップＡ４）を行う区間Ｄ３は、データ通信区間を示している。
【００２３】
受信局２は、送信局１からの通信データを受信すると（ステップＢ４）、同時にＢＥＲ測定器１９にて符号誤り率（ＢＥＲ）の測定、等化誤差測定器２０にて等化誤差の測定、ＲＳＳＩ測定器２１にて受信電界強度（ＲＳＳＩ）の測定を行い、これらの測定データを送信局１と受信局２との間の伝播状態として受信局２の測定テーブル（ＢＥＲテーブル２２、等化誤差テーブル２３、ＲＳＳＩテーブル２４）に記憶する。
【００２４】
また、受信局２は、送信局１からの通信データの送信が終了した後、上記測定データ（符号誤り率（ＢＥＲ）、等化誤差、受信電界強度（ＲＳＳＩ））を送信局１に送信する（ステップＢ５）。このステップＢ５の区間Ｄ４は、測定データの送信区間を示している。
【００２５】
送信局１は、上記受信局２から送られてくる測定データ（符号誤り率（ＢＥＲ）、等化誤差、受信電界強度（ＲＳＳＩ））を受信すると（ステップＡ５）、送信局１と受信局２との間の伝播状態として自局の測定テーブル（ＢＥＲテーブル２２、等化誤差テーブル２３、ＲＳＳＩテーブル２４）に記憶する。
【００２６】
上記送信局１と受信局２との間の通信はＦ１〜Ｆ５の運用周波数にて行われ、符号誤り率（ＢＥＲ）、等化誤差、受信電界強度（ＲＳＳＩ）の測定データが各測定テーブル（ＢＥＲテーブル２２、等化誤差テーブル２３、ＲＳＳＩテーブル２４）に記憶されると共に、図２にて詳細を後述するように各運用周波数Ｆ１〜Ｆ５における伝播特性（ＣＮ比）が伝播特性予測部２６により予測されて予測ＣＮテーブル２７に記憶される。そして、上記各測定テーブルに記憶された測定データ及び予測ＣＮテーブル２７に記憶されたＣＮ比予測値に基づいて最適運用周波数が選択される。
【００２７】
次に図２に示すように構成された送信局１及び受信局２の詳細な動作を説明する。
送信局１における呼び出し信号、応答信号、確認信号は、プロトコル制御回路１８により生成され、変復調器１６を経由して送信機１１へ出力され、アンテナ１３から受信局２へ送信される。
【００２８】
受信局２は、送信局１から送信される信号をアンテナ１４で受信し、受信機１２、変復調器１６を経由してプロトコル制御回路１８へ出力する。プロトコル制御回路１８は、受信信号の種別を識別し、その種別に応じた処理を行って無線通信リンクを確立する。
【００２９】
送信局１と受信局２との間の通信回線が確立した後、送信局１における通信データは外部装置からプロトコル制御回路１８へ入力され、変復調器１６、送信機１１を経てアンテナ１３から受信局２へ送信される。
受信局２は、送信局１から通信データが送られてくると、アンテナ１４を介して受信機１２で受信し、変復調器１６で復調した後、プロトコル制御回路１８から外部装置へ出力する。この際、受信局２は、Ｆ１〜Ｆ５の各運用周波数における受信データについて、ＢＥＲ測定器１９にて符号誤り率（ＢＥＲ）の測定、等化誤差測定器２０にて等化誤差の測定、ＲＳＳＩ測定器２１にて受信電界強度（ＲＳＳＩ）の測定を行い、これらの測定データを送信局１と受信局２との間の伝播状態として図５に示すようにＢＥＲテーブル２２、等化誤差テーブル２３、ＲＳＳＩテーブル２４に記憶する。
【００３０】
また、伝播特性予測部２６は、上記Ｆ１〜Ｆ５の運用周波数について伝播特性予測計算シミュレーションソフトウェアによりＣＮ比予測値を求め、図５に示すように予測ＣＮテーブル２７に記憶する。
図５はＦ１〜Ｆ５の５つの運用周波数における測定データ例及びＣＮ比予測値を示したもので、（ａ）は０時における測定データ及びＣＮ比予測値、（ｂ）は８時における測定データ及びＣＮ比予測値、（ｃ）は２３時における測定データ及びＣＮ比予測値を示している。
【００３１】
上記図５（ａ）、（ｃ）はデータ通信の例を示し、同図（ｂ）は音声通信の例を示している。音声通信の場合はデータ通信と異なり、等化誤差と符号誤り率（ＢＥＲ）の測定ができない。このため送信局１から音声通話の初期または任意のタイミングで一定周期のトーン信号を送信し、このトーン信号の周期性を測定することで等化誤差データとする。符号誤り率（ＢＥＲ）については、９９（最大値）とする。
【００３２】
選択順位付加部２５は、ＢＥＲテーブル２２、等化誤差テーブル２３、ＲＳＳＩテーブル２４に格納された測定データ、及び予測ＣＮテーブル２７に格納された周波数毎のＣＮ比予測値を使用し、図４に示す生成アルゴリズムに従って優先周波数テーブル２８を生成する。
【００３３】
選択順位付加部２５は、先ず等化誤差テーブル２３に格納されている測定等化誤差の値が「１０」以下であるか、「１１」以上であるかを判定し（ステップＣ１）、測定等化誤差の値が「１０」以下であれば等化誤差テーブル２３に格納されているデータの小さい周波数から優先順位を付ける（ステップＣ２）。
【００３４】
上記ステップＣ１で、測定等化誤差の値が「１１」以上であると判定された場合は、ＢＥＲテーブル２２に格納されている符号誤り率（ＢＥＲ）の値が「１０」以下であるか、「１１」以上であるかを判定し（ステップＣ３）、符号誤り率（ＢＥＲ）の値が「１０」以下であればＢＥＲテーブル２２に格納されているデータの小さい周波数から優先順位を付ける（ステップＣ４）。
【００３５】
上記ステップＣ３で、ＢＥＲテーブル２２に格納されている符号誤り率（ＢＥＲ）の値が「１１」以上であると判定された場合は、ＲＳＳＩテーブル２４に格納されている受信電界強度（ＲＳＳＩ）が「３０」以上であるか「２９」以下であるかを判定する（ステップＣ５）。上記ステップＣ５で受信電界強度（ＲＳＳＩ）が「３０」以上であると判定された場合は、ＲＳＳＩテーブル２４に格納されている受信電界強度（ＲＳＳＩ）の大きい周波数から優先順位を付ける（ステップＣ６）。
【００３６】
上記ステップＣ５で受信電界強度（ＲＳＳＩ）が「２９」以下であると判定された場合は、予測ＣＮテーブル２７に格納されているＣＮ比予測値の大きい周波数から優先順位を付ける（ステップＣ７）。
以下、図５（ａ）〜（ｃ）に示した等化誤差、符号誤り率（ＢＥＲ）、受信電界強度（ＲＳＳＩ）の各測定データ及びＣＮ比予測値に基づいて優先周波数テーブル２８を生成する場合の具体的な処理動作について説明する。
【００３７】
図５（ａ）に示す０時における測定データ及びＣＮ比予測値に基づいて優先周波数テーブル２８を生成する場合、選択順位付加部２５は先ず図４のステップＣ１で等化誤差テーブル２３に記憶されている等化誤差測定値が「１０」以下であるかどうかを判定するが、Ｆ１〜Ｆ５の５周波数のうち運用周波数Ｆ３における等化誤差測定値が「５」で「１０」以下となっているので、ステップＣ２に進んで等化誤差測定値の小さい周波数から優先順位を付ける。このとき運用周波数Ｆ３における等化誤差測定値「５」のみが「１０」以下となっているので、運用周波数Ｆ３を第１優先とする。
【００３８】
その他の運用周波数Ｆ１、Ｆ２、Ｆ４、Ｆ５は、等化誤差測定値が「１１」以上であるので、ステップＣ３にてＢＥＲテーブル２２に記憶されている符号誤り率（ＢＥＲ）が「１０」以下であるかどうかを判定し、運用周波数Ｆ１、Ｆ２における符号誤り率（ＢＥＲ）が「５」、「８」で「１０」以下であるので、ステップＣ４に進んで符号誤り率（ＢＥＲ）の小さい周波数から優先順位を付ける。このとき運用周波数Ｆ１の符号誤り率（ＢＥＲ）が「５」、運用周波数Ｆ２の符号誤り率（ＢＥＲ）が「８」であるので、運用周波数Ｆ１を第２優先、運用周波数Ｆ２を第３優先とする。
【００３９】
他の運用周波数Ｆ４、Ｆ５は、符号誤り率（ＢＥＲ）が「２５」、「６０」で「１１」以上であるので、ステップＣ３からステップＣ５に進んでＲＳＳＩテーブル２４に記憶されている受信電界強度（ＲＳＳＩ）が「３０」以上かどうかを判定する。運用周波数Ｆ４、Ｆ５の受信電界強度（ＲＳＳＩ）は「５０」、「４０」で「３０」以上となっているので、ステップＣ６に進んで受信電界強度（ＲＳＳＩ）の大きい周波数から優先順位を付ける。このとき運用周波数Ｆ４の受信電界強度（ＲＳＳＩ）が「５０」、運用周波数Ｆ５の受信電界強度（ＲＳＳＩ）が「４０」であるので、運用周波数Ｆ４を第４優先、運用周波数Ｆ５を第５優先とする。以上で優先周波数テーブル２８の生成処理を終了する。
【００４０】
図５（ｂ）に示す８時における測定データ及びＣＮ比予測値に基づいて優先周波数テーブル２８を生成する場合、選択順位付加部２５は図４のステップＣ１で等化誤差テーブル２３に記憶されている等化誤差測定値が「１０」以下であるかどうかを判定し、Ｆ１〜Ｆ５の５周波数のうち運用周波数Ｆ２〜Ｆ４における等化誤差測定値が「３」、「７」、「６」で「１０」以下となっているので、ステップＣ２に進んで等化誤差測定値の小さい周波数から優先順位を付ける。このとき運用周波数Ｆ２における等化誤差測定値が「３」、運用周波数Ｆ３における等化誤差測定値が「７」、運用周波数Ｆ４における等化誤差測定値が「６」であるので、運用周波数Ｆ２を第１優先、運用周波数Ｆ４を第２優先、運用周波数Ｆ３を第３優先とする。
【００４１】
その他の運用周波数Ｆ１、Ｆ５は、等化誤差測定値が「１５」、「２０」で「１１」以上であるので、ステップＣ１からステップＣ３に進み、ＢＥＲテーブル２２に記憶されている符号誤り率（ＢＥＲ）が「１０」以下であるか、あるいは「１１」以上であるかを判定する。このとき運用周波数Ｆ１、Ｆ５における符号誤り率（ＢＥＲ）が「９９」、「９９」で「１１」以上となっているので、ステップＣ５に進んでＲＳＳＩテーブル２４に記憶されている受信電界強度（ＲＳＳＩ）が「３０」以上かどうかを判定する。運用周波数Ｆ１、Ｆ５の受信電界強度（ＲＳＳＩ）は「４５」、「３０」であり、「３０」以上であるので、ステップＣ５からステップＣ６に進んで受信電界強度（ＲＳＳＩ）の大きい周波数から優先順位を付ける。このとき運用周波数Ｆ１の受信電界強度（ＲＳＳＩ）が「４５」、運用周波数Ｆ５の受信電界強度（ＲＳＳＩ）が「３０」であるので、運用周波数Ｆ１を第４優先、運用周波数Ｆ５を第５優先とする。
【００４２】
図５（ｃ）に示す２３時における測定データ及びＣＮ比予測値に基づいて優先周波数テーブル２８を生成する場合、選択順位付加部２５は図４のステップＣ１で等化誤差テーブル２３に記憶されている等化誤差測定値が「１０」以下であるかどうかを判定する。この場合、運用周波数Ｆ１〜Ｆ５における等化誤差測定値が全て「１１」以上となっているので、そのままステップＣ３に進んでＢＥＲテーブル２２に記憶されている符号誤り率（ＢＥＲ）が「１０」以下であるかどうかを判定し、運用周波数Ｆ１、Ｆ２、Ｆ４における符号誤り率（ＢＥＲ）が「１」、「８」、「５」で「１０」以下であるので、ステップＣ４に進んで符号誤り率（ＢＥＲ）の小さい周波数から優先順位を付ける。このとき運用周波数Ｆ１の符号誤り率（ＢＥＲ）が「１」、運用周波数Ｆ２の符号誤り率（ＢＥＲ）が「８」、運用周波数Ｆ４の符号誤り率（ＢＥＲ）が「５」であるので、運用周波数Ｆ１を第１優先、運用周波数Ｆ４を第２優先、運用周波数Ｆ２を第３優先とする。
【００４３】
その他の運用周波数Ｆ３、Ｆ５における符号誤り率（ＢＥＲ）が「１１」以上であるので、ステップＣ５に進んでＲＳＳＩ測定器２１に記憶されている受信電界強度（ＲＳＳＩ）が「３０」以上であるか、「２９」以下であるかを判定する。運用周波数Ｆ３、Ｆ５の受信電界強度（ＲＳＳＩ）は「２０」、「０」で「２９」以下であるので、ステップＣ５からステップＣ７に進んで予測ＣＮテーブル２７に記憶されているＣＮ比予測値の大きい周波数から優先順位を付ける。このとき運用周波数Ｆ２のＣＮ比予測値が「４８」、運用周波数Ｆ５のＣＮ比予測値が「５０」であるので、運用周波数Ｆ５を第４優先、運用周波数Ｆ３を第５優先とする。
【００４４】
選択順位付加部２５は、上記のように等化誤差、符号誤り率（ＢＥＲ）、受信電界強度（ＲＳＳＩ）の各測定データ及び伝播特性予測部２６により予測したＣＮ比予測値に基づいて優先周波数テーブル２８を生成する。この優先周波数テーブル２８に設定されたデータは、判定回路２９へ送られる。判定回路２９は、計時部３０から現在の時刻を取得し、優先周波数テーブル２８から現在の時刻での優先周波数を読出し、周波数、変調方式を決定して周波数設定器１５、変復調方式／通信速度設定器１７、プロトコル制御回路１８へ出力する。
【００４５】
上記周波数設定器１５は、判定回路２９の判定結果に基づいて送信機１１及び受信機１２の送受信周波数を最適周波数に設定する。変復調方式／通信速度設定器１７は、判定回路２９の判定結果に基づいて変復調器１６の変調方式を設定する。
上記実施形態によれば、ＢＥＲ測定器１９、等化誤差測定器２０、ＲＳＳＩ測定器２１による測定データと伝播特性予測部２６により予測されＣＮ比予測値を使用することによって、従来問題となっていたシミュレーション結果との誤差発生、ＣＮ比測定時の誤差発生、スループットの低下、ハードウェア規模の増大等を解決でき、最適な運用周波数を選択して品質の良い通信を行うことが可能となる。
【００４６】
なお、上記実施形態では、等化誤差、符号誤り率、受信電界強度の測定データ及びＣＮ比予測値を用いて最適な運用周波数を選択するようにしたが、その他、等化誤差、符号誤り率、受信電界強度の測定データのうちの一部を使用したり、または選択順位付加部２５における判定条件の組み合わせを本発明の技術思想の範囲内で種々変更実施することが可能である。
【００４７】
また、本発明は、上記実施形態そのままに限定されるものではなく、実施段階ではその要旨を逸脱しない範囲で構成要素を変形して具体化できるものである。
【図面の簡単な説明】
【００４８】
【図１】本発明の一実施形態に係る無線機において、送信局から受信局へ通信を行う場合の概略を説明するための図である。
【図２】同実施形態における無線機の具体的な構成例を示すブロック図である。
【図３】同実施形態における送信局と受信局との間の通信手順を示す交信タイミングチャートである。
【図４】同実施形態において、測定データ及びＣＮ比予測値に基づいて優先周波数テーブルを生成するためのアルゴリズムを示す図である。
【図５】同実施形態において、測定データテーブル、予測ＣＮテーブル及び優先周波数テーブルの各運用周波数におけるデータ記憶例を示す図である。
【符号の説明】
【００４９】
１…送信局、２…受信局、１１…送信機、１２…受信機、１３、１４…アンテナ、１５…周波数設定器、１６…変復調器、１７…変復調方式／通信速度設定器、１８…プロトコル制御回路、１９…ＢＥＲ測定器、２０…等化誤差測定器、２１…ＲＳＳＩ測定器、２２…ＢＥＲテーブル、２３…等化誤差テーブル、２４…ＲＳＳＩテーブル、２５…選択順位付加部、２６…伝播特性予測部、２７…予測ＣＮテーブル、２８…優先周波数テーブル、２９…判定回路、３０…計時部。
【図１】
2010141604.tif 000003
【図２】
2010141604.tif 000004
【図３】
2010141604.tif 000005
【図４】
2010141604.tif 000006
【図５】
2010141604.tif 000007